【事件の表示】
　平成　６年特許願第１４８２６２号「画像形成装置」拒絶査定に対する審判事件［平成　７年　６月１６日出願公開、特開平　７−１５４５３０］について、次のとおり審決する。
【結　論】
　本件審判の請求は、成り立たない。
【理　由】
１．手続の経緯・本願発明 
　本願は、平成５年８月３１日に出願した特願平５−２１６０５５号の一部を平成６年６月２９日に新たな特許出願としたものであって、その請求項１に係る発明（以下、本願発明という）は、平成１４年３月２６日付け、及び、平成１４年７月８日付けの手続補正書により補正された明細書及び図面の記載からみて、特許請求の範囲の請求項１に記載されたとおりの次のものと認める。
「【請求項１】　
記録紙を収納する
直上位置であって、前記収納部における記録紙搬送方向上流側の位置に前記読取部を設け、下流側の位置に前記電装部を設け、前記読取部と前記電装部とを前記収納部に沿って水平方向に並列させて配置し
　
２．引用例
　これに対して、原審の拒絶の理由に引用した平成５年３月１２日に頒布された特開平５−６３９３２号公報（以下「引用例」という）には、次のことが記載されている。
　（１）「【請求項１】　シリアル記録方式のインクジエット記録手段を備えるファクシミリ装置であって、
　本体上面の前方縁部に配設される操作部と、
　該操作部の下側に配設されるとともに、前記本体の前方側面に設けられる開口部に原稿を排出させつつ原稿読み取りを行なう原稿読取り手段と、
　前記本体の下側に配設されるシート供給部と、
　該シート供給部から供給される記録シート上に記録を行なうとともに記録動作後に本体上面の後方において傾けて排出するように配設される前記インクジエット記録手段と、
　前記排出される記録シートを収容する収容トレイ部と、
　を具備することを特徴とするファクシミリ装置。」（引用例の２頁１欄２〜１４行、【請求項１】）
　（２）「【００１１】次に、図２は図１のＸ?Ｘ矢視断面図であって、内蔵される各構成要素の主な部品を図示している。本図において、図中一点鎖線で示される本体１の上面１ｂの前方縁部には操作パネル２が設けられており、基板２ｃ上に実装されたキー２ａとディスプレー２ｂを操作パネル２に一体形成される穴部から外部に露出して設けている。
【００１２】一方、この操作パネル２の下方には破線図示の原稿Ｅを矢印Ａ方向に移動して本体１の前方側面１ａに設けられた開口部３に原稿Ｅを排出させつつ原稿読み取りを行なう原稿読取り部が設けられている。この原稿読取り部の構成は、原稿Ｅの原稿面に直接密着して読み取りを行う密着センサ８と、密着センサ８の読み取り部に対して押圧状態で回動される送りローラ９から構成されている。また、原稿台４上に複数が載置される原稿を１枚毎に密着センサ８側に送り出すために、分離片１０と分離送りローラ１１が上流にさらに設けられている。また、この原稿読取り部の下方には基板２４が２層にされて配置されている。
【００１３】一方、シリアル記録方式のインクジェット記録装置は図示のようにキヤリッジ１３が傾けて内蔵されており、記録部が傾くようにしてシートカートリッジ６から１枚毎に矢印Ｂ１方向に送り出される記録シートＳに対して無理な変形が発生しないように構成されている。このインクジェット記録装置は本願出願人の固有技術であるバブルインクジエットが好適に適用されるが、その他の周知のインクジェット記録装置でも良い。このインクジェット記録装置の構成は、紙面の表裏方向に不図示の駆動機構により往復駆動されるために案内軸体１４ａ，１４ｂにより摺動自在にされるキヤリッジ１３と、このキヤリッジ１３に対して交換自在にされる実線図示のインクカートリッジ１２と、本体に固定されて記録時に記録シートの固定台となるプラテン１５とによりシートの横方向に記録走査する記録走査部と、本体に設けられる不図示の駆動部で駆動されるゴムローラ２３と、圧接片１６と、シートガイド１８と、インクジエット記録後に乾燥が十分でない記録面に当接しても影響を与えないようにしたローラ２２と、駆動ローラ２３とで構成されるシート送り部とからなり、矢印Ｂ１方向から送られる記録シートＳ上への記録後に矢印Ｂ２方向に排出を行うものである。
【００１４】ここで、ローラ２２は本体１に対して軸２６ａにより回動開閉自在にされた蓋体２６の縁部に回転自在に設けられており、蓋体２６を開いてからインクカートリッジ１２を容易に交換できるようにするとともに、例えばジヤミングした記録シートを容易に除去できるようにしている。また、以上説明のゴムローラ１７の外周面上には、追動ローラ１９が押圧状態でさらに設けられており、トレイ５から矢印Ｃ方向に送り出される１シート分をシートガイド１８に沿うように案内してプラテン１５に送るようにして、記録を可能にしている。
【００１５】次に、記録シートＳはシートカートリッジ６内に複数枚数分が重ねて収容されており、シート分離機構である分離送りローラ２０と圧接ローラ２１ａを設けた送りローラ２１とにより１枚毎に圧接片１６とゴムローラ１７間に送り出すように構成されている。この送りローラ２１により、記録シートＳは角度θ分の曲げ変形を受けるが、従来のように半周分の１８０度よりもかなり小さいので記録シートＳへの影響は少ない。
【００１６】以上説明のファクシミリ装置において、送信時には矢印Ａ方向に原稿Ｅが送り出されて送信が行われる。また、受信時には、分離送りローラ２０の駆動が行われて１枚をシートガイド１８のガイド部１８ａと送りローラ２１間に送りだし、続いて圧接ローラ２１ａと送りローラ２１の間において挟んでから圧接片１６とゴムローラ１７間に送り出す。その後に、上記の矢印Ｂ２方向にステップ搬送されつつ所定ドット分の１列分の記録が行われて１シート分の記録終了後に、トレイ５上に排出する。
【００１７】図３は本体に内蔵されるブロック図であり、上述の基板２４に実装される機能部分別に示したものである。本図において、回線３１に接続される網制御部ＮＣＵには電話機３２が接続されており、ファックス受信モードか、電話受信モードかの自動判別が行われる。この網制御部ＮＣＵはさらにモデムＭＯＤが接続されており、主制御部ＣＰＵに所定信号を送受信する。主制御部ＣＰＵには、密着センサＣＳ（８）とインクジエット記録部ＢＪＰがさらに接続されており、原稿の読み取り及び記録を行う。この、インクジエット記録部ＢＪＰは信号線３４を介してパソコン１００の主基板１０１に直接接続されており、パソコンの出力端末機として独立使用可能に構成されている。このパソコンの出力端末機として用いる場合には、上述のように記録シートを１枚毎に挿入できると種々のフォームを任意にセットできるので便利である。一方、図中の破線図示のように、信号線３５を密着センサＣＳ（８）に対して直接接続して画像読み取り用に用いるように構成しても良い。」（引用例の３頁３欄２５行〜４頁５欄１１行、段落【００１１】〜【００１７】）
　
　（３）【図２】図１のＸ−Ｘ矢視断面図
　
　これらの記載より、引用例には次のことが記載されている。
「シリアル記録方式のインクジエット記録手段を備えるファクシミリ装置であって、
　本体上面の前方縁部に配設される操作部と、
　該操作部の下側に配設されるとともに、前記本体の前方側面に設けられる開口部に原稿を排出させつつ原稿読み取りを行なう原稿読取り手段と、
　該原稿読取り手段の下側に配置された２層の基板と、
　該基板の下側で、前記本体の下側に配設されるシート供給部と、
　該シート供給部から供給される記録シート上に記録を行なうとともに記録動作後に本体上面の後方において傾けて排出するように配設される前記インクジエット記録手段と、
　前記排出される記録シートを収容する収容トレイ部と、
　を具備することを特徴とするファクシミリ装置。」
　
３．対比
　本願発明と引用例に記載された発明とを対比すると、
引用例の「原稿読取り手段」は、本願発明の「読取部」に、    
引用例の「インクジエット記録手段」は、本願発明の「記録部」に、
引用例の「記録シート」は、本願発明の「記録紙」に、
引用例の「収容トレイ部」は、本願発明の「収納部」に、
引用例の「基板」は、本願発明の「電装部」に、
引用例の「ファクシミリ装置」は、本願発明の「画像形成装置」に、
それぞれ相当するから、
両者の一致点及び相違点は、次のとおりである。
＜一致点＞
「記録紙を収納する収納部から排出された記録紙に記録を行う記録部と、原稿を読み取る読取部と、前記記録部及び前記読取部に電気的に関連する電装部とを有する画像形成装置に於いて、
　前記記録紙の収納部の上方に、前記読取部と、前記電装部を設け、前記収納部から排出される記録紙の搬送経路に前記記録部を設け、前記読取部の上部位置に前記記録部および前記読取部に関する操作を行う操作部を設けた事を特徴とする画像形成装置。」
である点。
　
＜相違点＞ 
　読取部と、電装部の配置が、本願発明において、記録紙の収納部の直上位置であって、前記収納部における記録紙搬送方向上流側の位置に読取部を設け、下流側の位置に電装部を設け、前記読取部と前記電装部とを前記収納部に沿って水平方向に並列させて配置しているのに対して、
　引用例においては、シート供給部の上方にあり、操作部の下側に、原稿読み取りを行なう原稿読取り手段が配置され、該原稿読取り手段の下側に基板が配置されている点。
　
４．当審の判断
　上記相違点について検討すると、
　一般的に、装置を小型化したりして省スペースを求めることは当業者が通常的に求めていることである。同様に、ファクシミリ装置においても、小型化、スリム化、省スペースは当業者が絶えず求めてるいるところである。
　引用例等の、ファクシミリ装置の小型化、省スペース化をしょうとすれば、ファクシミリ装置では記録用紙の幅があるために、装置の幅は記録紙の幅により制約され、小型化、省スペース化を図るとすれば、高さをできるだけ低くすることにより小型化、省スペース化が図れることは明白のことであるから、また、装置の小型化、省スペース化において、制御回路などの電装回路の縮小化、空いてるスペースの有効利用を考えるのは当然のことである。　引用例においても、装置の小型化、薄型化、省スペース化を図ることは、当業者ならば当然考えることである。引用例のものにおいて、小型化、薄型化、省スペース化をするときに、基板などを、原稿台の空いているスペースに配置し、原稿読み取り手段、原稿台、基板をよりトレイに近づけ、並列して配置することにより、省スペース化を計ることは当業者にとって設計事項である。
　したがって、引用例において、読取部と、電装部の配置位置を、記録紙の収納部の直上位置であって、前記収納部における記録紙搬送方向上流側の位置に読取部を設け、下流側の位置に電装部を設け、前記読取部と前記電装部とを前記収納部に沿って水平方向に並列させて配置することは当業者にとって容易に考えられることである。
　
５．むすび
　したがって、本願発明は、引用例に記載された発明に基いて、当業者が容易に発明をすることができたものであるので、特許法第２９条第２項の規定により特許を受けることができない。
  よって、結論のとおり審決する。